(57)【要約】【課題】本発明は、フィルタエレメントを効率よく交換できる濾過装置を提供する。【解決手段】濾過装置１０は、ヘッド２０と、フィルタエレメント４０と、ハウジング３０と、を備える。ヘッド２０は、液圧回路５に接続されて濾過すべき作動油Ｌ１が流入する流入路２４を備える。フィルタエレメント４０は、濾過すべき作動油Ｌ１を濾過する。ハウジング３０は、フィルタエレメント４０が通る開口３０ｂを有して内側にフィルタエレメント４０を収容する。フィルタエレメント４０は、エレメント本体４８と、エレメント押さえ部４７と、を備える。エレメント押さえ部４７は、エレメント本体４８に設けられる。エレメント押さえ部４７は、ハウジング３０の内面３０ａに向かう方向および離れる方向に変位可能な接触部５３を備える。ハウジング３０に、接触部５３を収容する溝３５を設ける。接触部５３は、溝３５から出るまで変位可能である。【選択図】      図１
2007105638.tif 000002
【特許請求の範囲】
【請求項１】
濾過すべき液が流動する流路に接続されて前記濾過すべき液が流入する流入路を備えるヘッドと、
前記濾過すべき液を濾過するフィルタエレメントと、
前記フィルタエレメントが通る開口を有して内側に前記フィルタエレメントを収容し、かつ前記流入路と連通するとともに前記開口を塞ぐように前記ヘッドに取り付くハウジングと、
を具備し、
前記フィルタエレメントは、
濾材を備えるエレメント本体と、
前記エレメント本体に設けられるエレメント押さえ体であって、前記ハウジングの内面に向かう方向および離れる方向に変位可能な接触部を具備するエレメント押さえ体と、を具備し、
前記ハウジングには、前記接触部と接触することによって前記フィルタエレメントが前記ハウジング内から出ることを阻止する阻止部が設けられ、
前記接触部は、前記阻止部との接触が解除される位置まで変位可能であることを特徴とする濾過装置。
【請求項２】
前記エレメント押さえ体は、ばね部を有し、
前記接触部は、前記ばね部の弾性によって前記ハウジングの内面に向かって付勢されていることを特徴とする請求項１に記載の濾過装置。
【請求項３】
前記接触部は、前記ばね部を挟んで向かい合うように複数設けられるとともに、前記接触部には、把持部が形成されることを特徴とする請求項２に記載の濾過装置。
【請求項４】
前記阻止部は、前記接触部の少なくとも一部を収容するとともに前記フィルタエレメントが前記ハウジングから出る方向に前記接触部の少なくとも一部と接触可能な面部を有する溝であることを特徴とする請求項１に記載の濾過装置。
【請求項５】
前記阻止部は、前記ハウジングの内面であって、
前記接触部と前記阻止部との間に生じる摩擦によって、前記フィルタエレメントが前記ハウジングから出ることを抑制することを特徴とする請求項１に記載の濾過装置。
【請求項６】
前記エレメント押さえ体は、前記エレメント本体に対して着脱可能であることを特徴とする請求項１に記載の濾過装置。
【請求項７】
前記フィルタエレメントは、樹脂製であることを特徴とする請求項１に記載の濾過装置。
【発明の詳細な説明】
【技術分野】
【０００１】
本発明は、例えば油圧アクチュエータなどを備えた液圧機器の液圧回路を循環する液を濾過するための濾過装置に関する。
【背景技術】
【０００２】
液圧シリンダなどのアクチュエータを有する機器は、液圧回路を循環する作動油などの液を濾過するために濾過装置を備えている。濾過装置は、内部に濾過すべき液を濾過するフィルタエレメントを備えている。
【０００３】
濾過装置では、所定の期間が過ぎると、フィルタエレメントが目詰まりを起こすなどして、その濾過機能が低下する。それゆえ、フィルタエレメントは、交換される。
【０００４】
この種の濾過装置では、液圧回路に組み込まれるとともに濾過すべき液を流入する流入路と濾過された液を液圧回路に戻す流出路とを備えるヘッドと、フィルタエレメントと、フィルタエレメントを収容するとともにヘッドに組みつけられるハウジングと、を備えている。ヘッドからハウジングを外すことによってフィルタエレメントを交換することができる。
【０００５】
しかし、機器において濾過装置が組みつけられる箇所は、必ずしも濾過装置の組み付け作業に適した箇所ではない。
【０００６】
つまり、濾過装置が組みつけられる箇所によっては、ハウジング内にフィルタエレメントを収容した後にこれらのユニットをヘッドに組み付けようとしても、このユニットを傾けなくてはならいことが考えられる。このような場合では、ハウジング内からフィルタエレメントが出てしまうことが考えられる。
【０００７】
それゆえ、濾過装置を液圧回路に組み付ける際に、ヘッドにあらかじめフィルタエレメントを組み付けて固定し、その後にハウジングをヘッドに組み付けることが行われている。
【０００８】
しかし、一般に、ハウジングは、一端が塞がれる筒状であって、他端の開口からフィルタエレメントを収容するとともに、該開口がヘッドによって塞がれる。
【０００９】
それゆえ、上記のようにフィルタエレメントがヘッドに組みつけられた後にハウジングをヘッドに組み付けるようにすると、ハウジングは、フィルタエレメントを収容しながらヘッドに組みつけられるようになる。
【００１０】
つまり、ハウジングの組み付け時には、その作業スペースとして、フィルエレメントの高さとハウジングの高さと合わせた高さを収容できるだけのスペースが必要になる。上記のようなスペースを確保することは、難しい。
【００１１】
それゆえ、ハウジングからフィルタエレメントが出ないようにするエレメント押さえ部材をフィルタエレメントとは別途に備える濾過装置が提案されている。この種の濾過装置では、フィルタエレメントをハウジング内に収容した後、エレメント押さえ部材を設置することによって、フィルタエレメントをハウジング内に固定する。これによって、フィルタエレメントは、ハウジング内から出ることが阻止される。
【００１２】
この種の濾過装置では、ハウジングをヘッドに組み付ける際の作業スペースを小さく押さえることができる。
【発明の開示】
【発明が解決しようとする課題】
【００１３】
しかし、上記のようにエレメント押さえ部材を備える構造であると、ハウジング内にフィルタエレメントを固定する際には、ハウジング内にフィルタエレメントを収容し、その後にエレメント押さえ部材を設置するといった工程となる。
【００１４】
つまり、フィルタエレメントをハウジング内に収容する作業と別途にエレメント押さえ部材をハウジング内に収容しなければならくなるので、フィルタエレメントをハウジング内に固定する作業の効率が悪くなる。これは、ハウジング内からフィルタエレメントを取り出す作業においても同様である。このため、フィルタエレメントの交換作業の効率が悪くなる。
【００１５】
したがって、本発明は、フィルタエレメントを効率よく交換できる濾過装置を提供することを目的とする。
【課題を解決するための手段】
【００１６】
本発明の濾過装置は、ヘッドと、フィルタエレメントと、ハウジングと、を備える。前記ヘッドは、濾過すべき液が流動する流路に接続されて前記濾過すべき液が流入する流入路を備える。前記フィルタエレメントは、前記濾過すべき液を濾過する。前記ハウジングは、前記フィルタエレメントが通る開口を有して内側に前記フィルタエレメントを収容し、かつ前記流入路と連通するとともに前記開口を塞ぐように前記ヘッドに取り付く。前記フィルタエレメントは、エレメント本体と、エレメント押さえ体と、を備える。前記エレメント本体は、濾材を備える。前記エレメント押さえ体は、前記エレメント本体に設けられる。前記エレメント押さえ体は、前記ハウジングの内面に向かう方向および離れる方向に変位可能な接触部を備える。前記ハウジングに、前記接触部と接触することによって前記フィルタエレメントが前記ハウジング内から出ることを阻止する阻止部を設ける。前記接触部は、前記阻止部との接触が解除される位置まで変位可能である。
【００１７】
このように構成される濾過装置では、フィルタエレメントに一体にエレメント押さえ体が設けられることによって、フィルタエレメントをハウジング内に固定するための押さえ部材を別途に必要としない。
【００１８】
それゆえ、フィルタエレメントをハウジング内に収容する作業を行うことによって、同時にエレメント押さえ体もハウジング内に収容さえることになる。つまり、フィルタエレメントとエレメント押さえ体とを別々にハウジング内に収容することがないので、フィルタエレメントをハウジング内に固定する作業の効率が向上する。同様に、ハウジング内からフィルタエレメントを取り出す場合であっても、エレメント押さえ体を別途に取り出すということがなくなる。
【００１９】
本発明の好ましい形態では、前記エレメント押さえ体は、ばね部を有する。前記接触部は、前記ばね部の弾性によって前記ハウジングの内面に向かって付勢されている。
【００２０】
この構成によれば、接触部は、ばね部の弾性によってその位置を変位できるようになっている。それゆえ、接触部の位置を変位する際に、接触部を押圧するだけでよい。つまり、接触部を変位するために、複雑な操作を必要としない。
【００２１】
本発明の好ましい形態では、前記接触部は、前記ばね部を挟んで向かい合うように複数設けられる。前記接触部に、把持部を形成する。
【００２２】
この構成によれば、フィルタエレメントを把持するために把持部に指を掛けるなどすると、自然に各接触部は、ばねのたわむ方向に押圧される。その結果、ばね部が自然にたわむ。つまり、フィルタエレメントを支持する操作と、ばね部をたわます操作とがいっしょに行われる。
【００２３】
本発明の好ましい形態では、前記阻止部は、前記接触部の少なくとも一部を収容するとともに前記フィルタエレメントが前記ハウジングから出る方向に前記接触部の少なくとも一部と接触可能な面部を有する溝である。
【００２４】
この構成によれば、接触部と溝の面部とが互いに接触することによって、フィルタエレメントのハウジングから出る方向への移動が阻止される。
【００２５】
本発明の好ましい形態では、前記阻止部は、前記ハウジングの内面である。前記接触部と前記阻止部との間に生じる摩擦によって、前記フィルタエレメントが前記ハウジングから出ることを抑制する。
【００２６】
本発明の好ましい形態では、前記エレメント押さえ体は、前記エレメント本体に対して着脱可能である。
【００２７】
この構成によれば、エレメント本体からエレメント押さえ体を取り外すことによって、エレメント押さえ体は、再利用される。
【００２８】
本発明の好ましい形態では、前記フィルタエレメントは、樹脂製である。
【００２９】
この構成によれば、交換されたフィルタエレメントの後処理は、比較的容易になる。
【発明の効果】
【００３０】
本発明によれば、フィルタエレメントを効率よく交換することができる。
【発明を実施するための最良の形態】
【００３１】
本発明の第１の実施形態に係る濾過装置１０を、図１から図８を用いて説明する。
【００３２】
図１は、本実施形態の濾過装置１０の断面図である。図１に示すように、本実施形態の濾過装置１０は、例えば油圧アクチュエータを備える重機などの液圧回路５に組み込まれている。液圧回路５中には、作動油Ｌが流動している。
【００３３】
作動油Ｌは、図中右側から濾過装置１０に流入する。作動油Ｌにおいて、濾過装置１０に流入する直前のものは、濾過すべき作動油Ｌ１である。濾過すべき作動油Ｌ１は、本発明で言う、濾過すべき液の一例である。濾過装置１０によって濾過された作動油Ｌ２は、液圧回路５に戻される。
【００３４】
図２は、濾過装置１０が分解された状態を示す断面図である。図２に示すように、濾過装置１０は、ヘッド２０と、ハウジング３０と、フィルタエレメント４０と、を備えている。
【００３５】
ヘッド２０は、第１の部材２１と、第２の部材２２と、リリーフ弁２３と、などを備えている。
【００３６】
第１の部材２１は、流入路２４と、流出路２５と、を有している。図１に示すように、流入路２４は、液圧回路５の流出部５ａに接続されている。流入路２４は、略Ｌ字状に折れ曲がっている。なお、流入路２４は、ヘッド２０に組み付く後述するフィルタエレメント４０に向かって折れ曲がっている。
【００３７】
図２に示すように、第１の部材２１は、略中央に突部２６が形成されている。突部２６は、ヘッド２０に組み付く後述するフィルタエレメント４０に向かって突出している。流出路２５の一部は、突部２６内に形成されている。流出路２５の一端は、突部２６の先端に開口している。図１に示すように、流出路２５の他端は、液圧回路５の流入部５ｂに接続されている。
【００３８】
図２に示すように、流入路２４と流出路２５とは、互いに壁部２７を隔てて隣り合っている。リリーフ弁２３は、流入路２４と流出路２５とを隔てる壁部２７に設けられている。リリーフ弁２３が開くと流入路２４と流出路２５とは、連通する。流入路２４に流入した作動油Ｌ１の圧力が所定値以上になるとリリーフ弁２３は、開く。
【００３９】
第２の部材２２は、例えば略円筒状である。第２の部材２２は、突部２６を囲むように第１の部材２１に組みつけられている。第１の部材２１と第２の部材２２とは、例えば互いに螺合している。突部２６と第２の部材２２の周壁２２ａとの間に規定される空間Ａは、流入路２４と連通している。
【００４０】
ハウジング３０は、第１の部材３１と、第２の部材３２と、を備えている。第１の部材３１は、一端が閉塞された円筒状である。
【００４１】
第２の部材３２は、円筒状の部材である。第２の部材３２の内周は、第１の部材３１の内周よりも若干大きい。第２の部材３２の一端は、第２の部材３２の内部空間が第１の部材３１の内部空間と連通するように、第１の部材３１の開口端に例えば溶接されて固定されている。ヘッド２０の第２の部材２２は、ハウジング３０の第２の部材３２に略嵌合する大きさである。
【００４２】
ハウジング３０の第２の部材３２の内周部には、雌ねじ部３２ａが形成されている。ヘッド２０の第２の部材２２の外周部には、雄ねじ部２２ｂが形成されている。図１に示すように、ヘッド２０の雄ねじ部２２ｂがハウジング３０の雌ねじ部３２ａと螺合することによって、ハウジング３０は、ヘッド２０に着脱可能に固定される。ヘッド２０の第２の部材２２とハウジング３０の第２の部材３２との間には、Ｏリング３３が設けられている。Ｏリング３３は、ヘッド２０の第２の部材２２とハウジング３０の第２の部材３２との間を液密にシールしている。
【００４３】
上記のようにハウジング３０とヘッド２０とが互いに組みつけられることによって、ヘッド２０の第１の部材２１の突部２６は、ハウジング３０内に突出する。突部２６は、ハウジング３０と略同心上に配置されている。
【００４４】
フィルタエレメント４０は、ハウジング３０の開口３０ｂ（第２の部材３２の開口）からハウジング３０内に収容される。図２に示すように、フィルタエレメント４０は、濾材４１と、内筒４２と、第１の支持部材４３と、第２の支持部材４４と、を備えている。
【００４５】
濾材４１は、樹脂製であって、例えばプリーツ状に丸められている。それゆえ、濾材４１は、略円筒状である。内筒４２は、円筒状である。内筒４２の高さは、濾材４１の高さと同じである。内筒４２の周壁には、該周壁を径方向に貫通する貫通孔４５が複数形成されている。
【００４６】
内筒４２は、濾材４１の内側に収容されている。内筒４２は、濾材４１と略同心上に配置されている。濾材４１が内側に向かって付勢された場合なでは、内筒４２は濾材４１と接触することによって濾材４１を支持し、濾材４１が内側に向かって変形することを抑制する。
【００４７】
第１の支持部材４３は、濾材４１の下端と、内筒４２の下端と、を支持している。第１の支持部材４３は、樹脂製である。
【００４８】
第２の支持部材４４は、支持部４６と、エレメント押さえ部４７と、を有している。エレメント押さえ部４７は、本発明で言う、エレメント押さえ体の一例である。
【００４９】
支持部４６は、濾材４１の上端と、内筒４２の上端と、を支持している。本実施形態では、濾材４１と、内筒４２と、第１の支持部材４３と、支持部４６とは、本発明で言う、エレメント本体４８を構成している。本発明で言うエレメント本体とは、フィルタエレメントにおいて、エレメント押さえ体を除く部分の概念である。
【００５０】
エレメント押さえ部４７は、本体４９と、ばね部５２と、接触部５３と、を有している。エレメント押さえ部４７は、支持部４６と一体に形成されている。例えば、エレメント押さえ部４７は、支持部４６と一体に成形されている。第２の支持部材４４は、樹脂製である。
【００５１】
本体４９は、円筒状である。本体４９は、支持部４６と一体になっている。本体４９は、支持部４６と同心に配置されている。本体４９は、支持部４６の上方に位置している。本体４９と支持部４６とには、ヘッド２０の突部２６が嵌合する貫通孔５０が形成されている。貫通孔５０の縁と突部２６の外周部との間には、Ｏリング５１が設けられている。Ｏリング５１は、貫通孔５０の内周部と突部２６の外周部との間を液密にシールする。
【００５２】
貫通孔５０は、内筒４２の内部と連通している。それゆえ、内筒４２の内部と流出路２５とは、互いに連通する。
【００５３】
図３は、第２の支持部材４４を上方から見た平面図である。図３に示すように、ばね部５２は、本体４９の外周部４９ａに一対形成されている。具体的には、各ばね部５２は、本体４９を挟んで互いに対向する位置に配置されている。
【００５４】
ばね部５２の一端５２ａは、本体４９に接続されている。各ばね部５２は、本体４９の外周部４９ａと所定距離離間した状態を保ったまま本体４９の周囲に沿って延びている。それゆえ、各ばね部５２は、本体４９の外周部４９ａとの間に規定された距離を埋めるように、フィルタエレメント４０の径方向にたわむことができる。
【００５５】
接触部５３は、各ばね部５２の他端５２ｂに一体に形成されている。各接触部５３は、本体４９と各ばね部５２とを挟んで対向するように配置されている。図４は、ばね部５２がたわむ前の状態とたわんだ後の状態とを示す、第２の支持部材４４を上方から見た平面図である。
【００５６】
図４に示すように、ばね部５２がたわむことによって、各接触部５３は、２点鎖線で示された初期位置Ｐ１から、実線で示すように径方向内側に向かってその位置を変位することができる。
【００５７】
なお、初期位置Ｐ１とは、ばね部５２がたわんでいない状態における接触部５３の位置である。接触部５３には、該接触部５３を貫通する貫通孔５４が形成されている。貫通孔５４は、本発明で言う把持部の一例である。
【００５８】
フィルタエレメント４０がハウジング３０内に収容された状態では、各接触部５３は、ばね部５２をたわませたり、またはたわんだ状態を解除することによって、ハウジング３０の内面３０ａ（第１の部材３１の内面３１ａと第２の部材３２の内面３２ｂによって構成される）に向う方向および離れる方向に位置を変位可能となる。
【００５９】
図２に示すように、ハウジング３０の第２の部材３２には、雌ねじ部３２ａよりも下方に、溝３５が形成されている。溝３５は、接触部５３が変位する方向、本実施形態では、フィルタエレメント４０の径方向外側に向かって凹む形状である。
【００６０】
図５は、ハウジング３０内にフィルタエレメント４０が収容された状態を示す断面図である。図５に示すように、接触部５３の大きさまたはフィルタエレメント４０の径方向に沿うばね部５２の長さは、ハウジング３０内にフィルタエレメント４０が収容されたときに接触部５３の一部が溝３５に略嵌合するように調整されている。
【００６１】
さらに、本実施形態では、接触部５３の先端５３ａが溝３５の側端面３５ａ（径方向外側の側端面）に当接するように、接触部５３の大きさまたはフィルタエレメント４０の径方向に沿うばね部５２の長さは、調整されている。
【００６２】
つまり、接触部５３の一部が溝３５内に収容された状態では、ばね部５２は、若干たわんだ状態となる。このように、接触部５３の一部が溝３５内に収容された状態において接触部５３の先端５３ａが溝３５の側端面３５ａに接触することによって、フィルタエレメント４０がハウジング３０内に収容された状態では、フィルタエレメント４０が径方向にずれることが抑制される。
【００６３】
図６は、ハウジング３０内にフィルタエレメント４０が収容された状態を上方から見た平面図である。各接触部５３の一部が溝３５に略嵌合することによって、フィルタエレメント４０がハウジング３０内から出る方向に移動すると、図中点線で示すように接触部５３の一部５３ｂが溝３５の上端面３５ｂと接触する。それゆえ、ハウジング３０内からフィルタエレメント４０が出ることが抑制される。
【００６４】
図７は、接触部５３が溝３５内から出た状態を示す断面図である。図７に示すように、ハウジング３０内にフィルタエレメント４０を収容する際、またはハウジング３０からフィルタエレメント４０を取り出す際には、各ばね部５２をフィルタエレメント４０の径方向内側に向かってたわますことによって、接触部５３を溝３５の上端面３５ｂと干渉しない位置まで接触部５３を変位する。それゆえ、ばね部５２は、接触部５３が溝３５の上端面３５ｂと干渉しなくなる位置まで接触部５３を変位できるように調整されている。具体的には、ばね部５２と本体４９との間に規定される空間が調整されるなどする。
【００６５】
図１に示すように、このように構成される濾過装置１０では、液圧回路５の流出部５ａから濾過すべき作動油Ｌ１がヘッド２０の流入路２４内に流入する。作動油Ｌ１は、流入路２４と突部２６と第２の部材２２との間に規定される空間Ａとを通って、濾材４１とハウジング３０の内面３０ａとの間に達する。
【００６６】
濾材４１の外側に達した作動油Ｌ１は、矢印に示すように、濾材４１内を通る過程で濾過される。濾材４１通り濾過された作動油Ｌ２は、内筒４２の貫通孔４５を通過して内筒４２の内側に出る。
【００６７】
ついで、濾過された作動油Ｌ２は、流出路２５を通って液圧回路５の流入部５ｂに流入し、液圧回路５に戻る。
【００６８】
つぎに、フィルタエレメント４０の交換作業の一例を説明する。
【００６９】
まず、ヘッド２０からハウジング３０を取り外す。ついで、図４に示すように、接触部５３に形成された貫通孔５４に指を通すなどしてフィルタエレメント４０を把持する。このとき、接触部５３を把持する（貫通孔５４に指を通す）ことによって、自然に各ばね部５２が径方向内側にたわむ。各ばね部５２がたわむことによって、各接触部５３が径方向内側に変位する。
【００７０】
図７に示すように、接触部５３が溝３５の上端面３５ｂと干渉しない位置まで接触部５３が変位すると、図８に示すように、フィルタエレメント４０は、ハウジング３０内から取り出される。
【００７１】
フィルタエレメント４０は、樹脂製である。それゆえ、使用済みのフィルタエレメント４０の後処理は、比較的容易になる。
【００７２】
ついで、新しいフィルタエレメント４０をハウジング３０内に収容する。このときも同様に、接触部５３の貫通孔５４内に指を通すことによってフィルタエレメント４０を把持すると、自然に各ばね部５２がたわむ。それゆえ、フィルタエレメントは、そのままハウジング３０内に収容される。
【００７３】
ハウジング３０内にフィルタエレメント４０が収容されると、貫通孔５４から指を離すなどして接触部５３を溝３５内に嵌合する。
【００７４】
ついで、ハウジング３０とフィルタエレメント４０とによるユニットを、ヘッド２０に取り付ける。以上の作業によって、フィルタエレメント４０が交換される。
【００７５】
このように構成される濾過装置１０では、フィルタエレメント４０に一体にエレメント押さえ部４７が形成されることによって、フィルタエレメント４０をハウジング３０内に固定するための押さえ部材を別途に必要としない。
【００７６】
それゆえ、フィルタエレメント４０をハウジング３０内に収容する作業を行うことによって、同時にエレメント押さえ部４７もハウジング３０内に収容さえることになる。つまり、フィルタエレメント４０とエレメント押さえ部４７とを別々にハウジング３０内に収容することがないので、フィルタエレメント４０をハウジング３０内に固定する作業の効率が向上する。
【００７７】
同様に、ハウジング３０内からフィルタエレメント４０を取り出す場合であっても、エレメント押さえ部４７を別途に取り出すということがなくなる。したがって、フィルタエレメント４０を交換する作業の効率が向上する。
【００７８】
また、接触部５３は、ばね部５２の弾性によってその位置を変位できるようになっている。それゆえ、接触部５３の位置を変位する際に、接触部５３を径方向内側に押圧するだけでよい。つまり、接触部５３を変位するために、複雑な操作を必要としないので、フィルタエレメント４０の交換作業の効率が向上する。
【００７９】
また、接触部５３は、本体４９を挟んで、つまりばね部５２を挟んで互いに向かい合うように一対設けられている。そして、接触部５３には、把持部としての貫通孔５４が形成されている。
【００８０】
それゆえ、フィルタエレメント４０を把持するために貫通孔５４内にそれぞれ指を通すなどすると、自然に各接触部５３は、径方向内側に押圧される。その結果、ばね部５２が自然にたわむ。つまり、フィルタエレメント４０を支持する操作と、ばね部５２をたわます操作とがいっしょに行えるので、フィルタエレメント４０の交換作業の効率が向上する。
【００８１】
また、阻止部の一例として溝３５が採用されることによって、接触部５３と溝３５の上端面３５ｂとが互いに接触するので、フィルタエレメント４０がハウジング３０から出ることが効果的に抑制される。
【００８２】
また、フィルタエレメント４０は、樹脂製であるので、交換後の処理が比較的容易になる。
【００８３】
つぎに、本発明の第２の実施形態に係る濾過装置１０を、図９と図１０とを用いて説明する。なお、第１の実施形態と同様な機能を有する構成は、同一の符号を付して説明を省略する。
【００８４】
本実施形態では、フィルタエレメント４０の構造が第１の実施形態と異なる。他の構造は、第１の実施形態と同様であってよい。この点について、詳細に説明する。
【００８５】
図９は、本実施形態のフィルタエレメント４０の断面図である。図１０は、フィルタエレメント４０が分解された状態を示す断面図である。
【００８６】
図９と図１０とに示すように、フィルタエレメント４０は、濾材４１と、内筒４２と、第１の支持部材４３と、第２の支持部材４４と、エレメント押さえ部材６０と、を備えている。
【００８７】
第２の支持部材４４は、濾材４１と内筒４２との上端を覆っている。第２の支持部材４４の中央には、貫通孔５０が形成されている。本実施形態の第２の支持部材４４は、エレメント押さえ部を有していない。
【００８８】
エレメント押さえ部材６０は、本体４９と、ばね部５２と、接触部５３と、を有している。エレメント押さえ部材６０は、本発明で言う、エレメント押さえ体の一例である。本実施形態では、濾材４１と、内筒４２と、第１の支持部材４３と、第２の支持部材４４とが、エレメント本体４８を構成する。
【００８９】
第２の支持部材４４の貫通孔５０の内周部には、雌ねじ部５０ａが形成されている。エレメント押さえ部材６０の本体４９は、貫通孔５０内に略嵌合する大きさである。本体４９の外周部４９ａには、雄ねじ部５０ａに螺合する雄ねじ部４９ｂが形成されている。雄ねじ部４９ｂと雌ねじ部５０ａとが互いに螺合することによって、
本実施形態では、エレメント押さえ部材６０は、エレメント本体４８に対して着脱可能である。それゆえ、第１の実施形態の効果に加えて、エレメント本体４８からエレメント押さえ部材６０を取り外すことによって、エレメント押さえ部材６０を再利用することができる。
【００９０】
つぎに、本発明の第３の実施形態に係る濾過装置１０を、図１１を用いて説明する。なお、第１の実施形態と同様な機能を有する構成は、同一の符号を付して説明を省略する。
【００９１】
本実施形態では、阻止部の構造と、エレメント押さえ部４７の構造とが、第１の実施形態と異なる。他の構造は、第１の実施形態と同様であってよい。この点について詳細に説明する。
【００９２】
図１１は、ハウジング３０内にフィルタエレメント４０が収容された状態を示す断面図である。図１１に示すように、本実施形態の阻止部は、溝形状ではない。阻止部は、接触部５３の先端５３ａと接触する面部７０である。面部７０は、ハウジング３０の内面３０ａの一部である。面部７０は、接触部５３の先端５３ａとの間に生じる摩擦を大きくするために、例えば表面が荒く形成されてもよい。
【００９３】
本実施形態では、接触部５３の先端５３ａと面部７０との間に生じる摩擦によって、フィルタエレメント４０がハウジング３０内から出ることを抑制するものである。それゆえ、ばね部５２は、接触部５３を充分に面部７０に向かって付勢できるように調整されている。
【００９４】
本実施形態では、面部７０を阻止部とするので、阻止部を形成するために大きな加工を必要としない。それゆえ、第１の実施形態の効果に加えて、ハウジング３０を比較的容易に形成することができるようになる。
【００９５】
また、接触部５３の先端５３ａが面部７０に径方向に接触するので、フィルタエレメント４０が径方向にずれることが抑制される。それゆえ、ハウジング３０とフィルタエレメント４０とからなるユニットをヘッド２０に組み付ける際に、突部２６を貫通孔４５に導きやすくなる。
【図面の簡単な説明】
【００９６】
【図１】本発明の第１の実施形態に係る濾過装置の断面図。
【図２】図１に示された濾過装置が分解された状態を示す断面図。
【図３】図１に示された第２の支持部材を上方から見た平面図。
【図４】図１に示されたばね部がたわむ前の状態とたわんだ後の状態とを示す、第２の支持部材を上方から見た平面図。
【図５】図１に示されたハウジング内にフィルタエレメントが収容された状態を示す断面図。
【図６】図１に示されたハウジング内にフィルタエレメントが収容された状態を上方から見た平面図。
【図７】図１に示された接触部が溝内から出た状態を示す断面図。
【図８】図１に示されたフィルタエレメントがハウジング内から取り出される様子、またはハウジング内にフィルタエレメントを収容する様子を示す断面図。
【図９】本発明の第２の実施形態に係る濾過装置のフィルタエレメントの断面図。
【図１０】図９に示されたフィルタエレメントが分解された状態を示す断面図。
【図１１】本発明の第３の実施形態に係る濾過装置のハウジング内にフィルタエレメントが収容された状態を示す断面図。
【符号の説明】
【００９７】
５…液圧回路（流路）、１０…濾過装置、２４…流入路、３０…ハウジング、３０ａ…内面、３０ｂ…開口、３５…溝（阻止部）、３５ｂ…上端面（接触する面部）、４０…フィルタエレメント、４７…エレメント押さえ部（エレメント押さえ部）、４８…エレメント本体、５２…ばね部、５３…接触部、５４…貫通孔（把持部）、６０…エレメント押さえ部材（エレメント押さえ体）、７０…面部（阻止部）、Ｌ１…濾過すべき作動油（濾過すべき液）。
【図１】
2007105638.tif 000003
【図２】
2007105638.tif 000004
【図３】
2007105638.tif 000005
【図４】
2007105638.tif 000006
【図５】
2007105638.tif 000007
【図６】
2007105638.tif 000008
【図７】
2007105638.tif 000009
【図８】
2007105638.tif 000010
【図９】
2007105638.tif 000011
【図１０】
2007105638.tif 000012
【図１１】
2007105638.tif 000013